【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
全混合物に対して、０．２〜３０質量％のコポリマーを含有する潤滑油組成物であって、該コポリマーが、ラジカル重合された単位
ａ）０〜４０質量％の式（Ｉ）
【化１】
2007532703.tif 000001
［式中、Ｒは、水素又はメチルを意味し、かつＲ１は、１〜５個の炭素原子を有する直鎖状又は分枝鎖状のアルキル基を意味する］で示される１又は複数の（メタ）アクリレート、
ｂ）３５〜９９．９９質量％の式（ＩＩ）
【化２】
2007532703.tif 000002
［式中、Ｒは、水素又はメチルを意味し、Ｒ４は、６〜４０個の炭素原子を有する直鎖状、環状又は分枝鎖状のアルキル基を意味し、Ｒ２及びＲ３は、無関係に、水素又は式−ＣＯＯＲ５の基を意味し、その際、Ｒ５は、水素又は６〜４０個の炭素原子を有する直鎖状、環状又は分枝鎖状のアルキル基である］で示される１又は複数のエチレン性不飽和のエステル化合物、及び
ｃ）０〜４０質量％の１又は複数のコモノマー、並びに
ｄ）０．０１〜２０質量％の式（ＩＩＩ）
【化３】
2007532703.tif 000003
［式中、Ｒ６、Ｒ７及びＲ８は、互いに無関係に、水素又は１〜５個の炭素原子を有するアルキル基であってよく、かつＲ９は、水素結合の形成が可能な１又は複数の構造単位を有しかつ水素供与体である基である］で示される化合物、及び
ｅ）０〜２０質量％の式（ＩＶ）
【化４】
2007532703.tif 000004
［式中、Ｒ１０、Ｒ１１及びＲ１２は、互いに無関係に、水素又は１〜５個の炭素原子を有するアルキル基であってよく、かつ
Ｒ１３は、基Ｃ（Ｏ）ＯＲ１４であり、かつＲ１４は、少なくとも１個の−ＮＲ１５Ｒ１６−基で置換された２〜２０個、有利には２〜６個の炭素原子を有する直鎖状又は分枝鎖状のアルキル基を意味し、その際、Ｒ１５及びＲ１６は、互いに無関係に、水素、１〜２０個、１〜６個の炭素原子を有するアルキル基を表すか又はＲ１５及びＲ１６は、窒素原子を含んで、かつ場合により更なる窒素原子又は酸素原子を含んで、５員又は６員の環を形成し、該環は、場合によりＣ１〜Ｃ６−アルキルで置換されていてよく、又は
Ｒ１３は、基ＮＲ１７Ｃ（＝Ｏ）Ｒ１８を表し、その際、Ｒ１７及びＲ１８は、一緒になって、２〜６個、有利には２〜４個の炭素原子を有するアルキレン基を形成し、その際、前記の基は、場合により更なる窒素原子又は酸素原子を含んで、４員ないし８員、有利には４員ないし６員の飽和又は不飽和の環を形成し、その際、該環は、更に場合によりＣ１〜Ｃ６−アルキルで置換されていてよい］で示される１又は複数の化合物
から形成され、その際、
式（ＩＩＩ）の化合物ｄ）は、主鎖中のみか又は形成されたポリマーのグラフトされた側鎖中のみに存在し、かつ
存在するのであれば、式（ＩＶ）の化合物ｅ）は、同様に、主鎖中のみか又は形成されたポリマーのグラフトされた側鎖中のみに存在し、
前記の成分の質量％の表記は、使用されるモノマーの全質量に対するものであり、かつ
該潤滑油組成物は、更に他の成分：
２５〜９０質量％の鉱物性及び／又は合成の基油、
全部合わせて０．２〜２０質量％の更なる通常の添加剤、例えば流動点降下剤、ＶＩ向上剤、劣化防止剤、清浄剤、分散助剤又は減摩成分
を含有する潤滑油組成物。
【請求項２】
請求項１記載の潤滑油組成物であって、該組成物が、付加的に０．０５〜１０．０質量％の式（Ｖ）
【化５】
2007532703.tif 000005
［式中、
Ｒ１、Ｒ２及びＲ３は、無関係に、水素又は４０個までの炭素原子を有する炭化水素基であり、
Ｒ４は、水素、メチル基又はエチル基であり、
Ｌは、結合性基であり、
ｎは、４〜４０の範囲の整数であり、
Ａは、２〜２５個の繰返単位を有するアルコキシ基であり、その単位は、エチレンオキシド、プロピレンオキシド及び／又はブチレンオキシドから誘導され、その際、Ａは、上述の化合物のホモポリマー並びに該化合物少なくとも２個からなる統計コポリマーを含み、かつ
ｚは、１又は２であり、その際、
式（Ｖ）の化合物（ＶＩ）
【化６】
2007532703.tif 000006
で示される非極性部は、少なくとも９個の炭素原子を有する］で示されるアルキルアルコキシレートを含有することを特徴とする潤滑油組成物。
【請求項３】
請求項１又は２記載の潤滑油組成物であって、水素結合の形成が可能な構造単位Ｒ９が、カルボキシル基又は置換されていてよいカルボン酸アミド基であることを特徴とする潤滑油組成物。
【請求項４】
請求項１から３までのいずれか１項記載の潤滑油組成物であって、水素結合の形成が可能な式（ＩＩＩ）の化合物が、メタクリル酸、アクリル酸、１０−ウンデセン酸、ジメチルアミノプロピルアクリル酸アミド又はジメチルアミノプロピルメタクリル酸アミドであることを特徴とする潤滑油組成物。
【請求項５】
請求項１から４までのいずれか１項記載の潤滑油組成物であって、他のコモノマーｃ）が、α−オレフィンもしくはスチレン又はその両者からなる混合物であることを特徴とする潤滑油組成物。
【請求項６】
請求項１から５までのいずれか１項記載の潤滑油組成物であって、コポリマーの分子量の質量平均が１５００〜４００００００ｇ／モルであることを特徴とする潤滑油組成物。
【請求項７】
請求項１から６までのいずれか１項記載の潤滑油組成物であって、式（Ｉ）のモノマーが、メチルメタクリレートもしくはｎ−ブチルメタクリレート又はその両者からなる混合物であることを特徴とする潤滑油組成物。
【請求項８】
請求項１から７までのいずれか１項記載の潤滑油組成物であって、式（ＩＩ）のモノマーが、２−エチルヘキシルメタクリレート、イソノニルメタクリレート、イソデシルメタクリレート、ドデシルメタクリレート、トリデシルメタクリレート、ペンタデシルメタクリレート、ヘキサデシルメタクリレート及びオクトデシルメタクリレートの群から選択される１又は複数の化合物であることを特徴とする潤滑油組成物。
【請求項９】
請求項１から８までのいずれか１項記載の潤滑油組成物であって、式（ＩＶ）のモノマーが、ジメチルアミノエチルメタクリレート、ジメチルアミノプロピルメタクリレート、Ｎ−モルホリノエチルメタクリレート又は複素環式のビニル化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラン、ビニルフラン、ビニルチオフェン、ビニルチオラン、ビニルチアゾール及び水素化ビニルチアゾール、ビニルオキサゾール及び水素化ビニルオキサゾール又はかかる化合物の混合物であることを特徴とする潤滑油組成物。
【請求項１０】
請求項１から９までのいずれか１項記載の潤滑油中のコポリマーを、分散性又は非分散性の粘度指数向上剤として、清浄化成分として、流動点向上剤として、減摩成分として又は減摩によりエネルギー消費量を下げる成分として用いる使用。
【請求項１１】
請求項１から９までのいずれか１項記載の潤滑油組成物中に使用できるグラフトコポリマーの製造方法において、式（ＩＩＩ）の１又は複数のモノマーをグラフトさせた後に、式（ＩＶ）の１又は複数のモノマーにより更なるグラフト工程を実施することを特徴とする方法。
【請求項１２】
請求項１から９までのいずれか１項記載の潤滑油組成物中で使用されるグラフトコポリマーの製造方法において、まず、式（ＩＶ）の１又は複数のモノマーによるグラフト工程を実施し、引き続き式（ＩＩＩ）の１又は複数のモノマーによる更なるグラフト工程を実施することを特徴とする方法。
【請求項１３】
請求項１から９までのいずれか１項記載の潤滑油組成物中で使用されるグラフトコポリマーの製造方法において、グラフト工程を、式（ＩＩＩ）及び式（ＩＶ）のそれぞれの１又は複数のモノマーからなる混合物を使用して実施することを特徴とする方法。
【請求項１４】
請求項１３記載のグラフトコポリマーの製造方法において、グラフト工程を続けて５回まで実施することを特徴とする方法。
【請求項１５】
ラジカル重合された単位
ａ）０〜４０質量％の式（Ｉ）
【化７】
2007532703.tif 000007
［式中、Ｒは、水素又はメチルを意味し、かつＲ１は、１〜５個の炭素原子を有する直鎖状又は分枝鎖状のアルキル基を意味する］で示される１又は複数の（メタ）アクリレート、
ｂ）３５〜９９．９９質量％の式（ＩＩ）
【化８】
2007532703.tif 000008
［式中、Ｒは、水素又はメチルを意味し、Ｒ４は、６〜４０個の炭素原子を有する直鎖状、環状又は分枝鎖状のアルキル基を意味し、Ｒ２及びＲ３は、無関係に、水素又は式−ＣＯＯＲ５の基を意味し、その際、Ｒ５は、水素又は６〜４０個の炭素原子を有する直鎖状、環状又は分枝鎖状のアルキル基である］で示される１又は複数のエチレン性不飽和のエステル化合物、及び
ｃ）０〜４０質量％の１又は複数のコモノマー、並びに
ｄ）０．０１〜２０質量％の、オメガ−オレフィンカルボン酸、特に１０−ウンデセン酸から形成される基からの化合物
ｅ）０〜２０質量％の式（ＩＶ）
【化９】
2007532703.tif 000009
［式中、Ｒ１０、Ｒ１１及びＲ１２は、互いに無関係に、水素又は１〜５個の炭素原子を有するアルキル基であってよく、かつ
Ｒ１３は、基Ｃ（Ｏ）ＯＲ１４であり、かつＲ１４は、少なくとも１個の−ＮＲ１５Ｒ１６−基で置換された２〜２０個、有利には２〜６個の炭素原子を有する直鎖状又は分枝鎖状のアルキル基を意味し、その際、Ｒ１５及びＲ１６は、互いに無関係に、水素、１〜２０個、１〜６個の炭素原子を有するアルキル基を表すか又はＲ１５及びＲ１６は、窒素原子を含んで、かつ場合により更なる窒素原子又は酸素原子を含んで、５員又は６員の環を形成し、該環は、場合によりＣ１〜Ｃ６−アルキルで置換されていてよく、又は
Ｒ１３は、基ＮＲ１７Ｃ（＝Ｏ）Ｒ１８を表し、その際、Ｒ１７及びＲ１８は、一緒になって、２〜６個、有利には２〜４個の炭素原子を有するアルキレン基を形成し、その際、前記の基は、場合により更なる窒素原子又は酸素原子を含んで、４員ないし８員、有利には４員ないし６員の飽和又は不飽和の環を形成し、その際、該環は、更に場合によりＣ１〜Ｃ６−アルキルで置換されていてよい］で示される１又は複数の化合物
から形成され、その際、
化合物ｅ）は、主鎖中のみか又は形成されたポリマーのグラフトされた側鎖中のみに存在し、かつ
存在するのであれば、式（ＩＶ）の化合物ｆ）は、同様に、主鎖中のみか又は形成されたポリマーのグラフトされた側鎖中のみに存在し、かつ
前記の成分の質量％の表記は、使用されるモノマーの全質量に対するものであるコポリマー。
【請求項１６】
請求項１５記載のコポリマーであって、分子量の質量平均が１５００〜４００００００ｇ／モルであることを特徴とするコポリマー。
【請求項１７】
請求項１５又は１６記載のコポリマーであって、式（Ｉ）のモノマーが、メチルメタクリレートもしくはｎ−ブチルメタクリレート又はその両者からなる混合物であることを特徴とするコポリマー。
【請求項１８】
請求項１５から１７までのいずれか１項記載のコポリマーであって、式（ＩＩ）のモノマーが、２−エチルヘキシルメタクリレート、イソノニルメタクリレート、イソデシルメタクリレート、ドデシルメタクリレート、トリデシルメタクリレート、ペンタデシルメタクリレート、ヘキサデシルメタクリレート及びオクトデシルメタクリレートの群から選択される１又は複数の化合物であることを特徴とするコポリマー。
【請求項１９】
請求項１５から１８までのいずれか１項記載のコポリマーであって、他のコモノマーｃ）が、α−オレフィンもしくはスチレン又はその両者からなる混合物であることを特徴とするコポリマー。
【請求項２０】
請求項１５から１９までのいずれか１項記載のコポリマーであって、式（ＩＶ）のモノマーが、ジメチルアミノエチルメタクリレート、ジメチルアミノプロピルメタクリレート、Ｎ−モルホリノエチルメタクリレート又は複素環式のビニル化合物、例えば２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラン、ビニルフラン、ビニルチオフェン、ビニルチオラン、ビニルチアゾール及び水素化ビニルチアゾール、ビニルオキサゾール及び水素化ビニルオキサゾール又はかかる化合物の混合物であることを特徴とするコポリマー。
【請求項２１】
請求項１から９までのいずれか１項記載の潤滑油組成物をハイドロリックオイルとして用いる使用。
【請求項２２】
請求項２１記載の使用であって、コポリマーをＶＩ向上剤として使用し、かつハイドロリックオイルの動粘度とは無関係に、ハイドロリック装置において減摩に寄与し、その際、摩耗防止性は、単独でコポリマーによって又は通常の減摩添加剤、例えば摩擦調節剤と一緒に提供されることを特徴とする使用。
【請求項２３】
請求項１から９までのいずれか１項記載のハイドロリックオイルであり、コポリマーであって、そのコポリマー中に式（ＩＩＩ）の化合物ｄ）が０．５〜４０質量％まで存在することを特徴とするハイドロリックオイル。
【請求項２４】
請求項２２記載のハイドロリックオイルであって、式（ＩＩＩ）の化合物ｄ）が、アクリル酸、メタクリル酸、ジメチルアミノプロピルアクリル酸アミド、ジメチルアミノプロピルメタクリル酸アミド又はオメガ−オレフィンカルボン酸、特に１０−ウンデセン酸であることを特徴とするハイドロリックオイル。